(57)【特許請求の範囲】
【請求項１】
始動口へと入賞した場合に大当たりの抽選処理を行い、当該大当たりの抽選結果を表示する演出動作の動作結果に応じて大当たり状態を発生可能であり、前記演出動作中に始動口へと入賞した場合に対応する演出動作を保留し、その保留した旨を示す表示である保留表示を保留した演出動作分表示する遊技機であって、前記大当たりの抽選結果を示唆する場合に、その示唆の対象となる大当たりの抽選結果に対応した保留表示を通常の保留表示とは異なる保留表示である特定画像にて表示する遊技機により表示される前記特定画像を含む前記演出動作を撮像可能な撮像手段と、
この撮像手段が撮像した演出動作の画像である演出画像を表示する表示手段と、
前記演出画像に含まれる特定画像を認識する特定画像認識手段と、
所定の表示条件及び前記特定画像と対応付けて所定の読出画像を予め記憶する記憶手段と、
前記特定画像認識手段が特定画像を認識したときに、前記所定の表示条件の成立状態を判定する表示条件判定手段と、
前記表示条件判定手段により何れかの表示条件が成立していると判定された場合、前記記憶手段が記憶している読出画像の中から成立していると判定された表示条件及び認識された特定画像に対応する読出画像を読み出して前記表示手段に表示させる情報表示手段と、を備え、
前記表示条件は、時刻、日付、場所、気温、或いは湿度を対象とすることを特徴とする遊技用携帯端末。
【請求項２】
始動口へと入賞した場合に大当たりの抽選処理を行い、当該大当たりの抽選結果を表示する演出動作の動作結果に応じて大当たり状態を発生可能であり、前記演出動作中に始動口へと入賞した場合に対応する演出動作を保留し、その保留した旨を示す表示である保留表示を保留した演出動作分表示する遊技機であって、前記大当たりの抽選結果を示唆する場合に、その示唆の対象となる大当たりの抽選結果に対応した保留表示を通常の保留表示とは異なる保留表示である特定画像にて表示する遊技機により表示される前記特定画像を含む前記演出動作を撮像可能な撮像手段と、
この撮像手段が撮像した演出動作の画像である演出画像を表示する表示手段と、
所定の表示条件及び前記演出画像に含まれる可能性がある特定画像と対応付けて所定の読出画像を記憶する記憶手段と、を備えた遊技用携帯端末で実行される遊技用プログラムであって、
前記演出画像に含まれる特定画像を認識する特定画像認識ステップと、
前記特定画像認識手段が特定画像を認識したときに、前記所定の表示条件の成立状態を判定する表示条件判定ステップと、
前記表示条件判定ステップにより何れかの表示条件が成立していると判定された場合、前記記憶手段が記憶している読出画像の中から成立していると判定された表示条件及び認識された特定画像に対応する読出画像を読み出して前記表示手段に表示させる情報表示ステップと、を含み、
前記表示条件は、時刻、日付、場所、気温、或いは湿度を対象とすることを特徴とする遊技用プログラム。
【請求項３】
前記遊技用携帯端末は、前記所定の表示条件及び前記特定画像と対応付けられた所定の読出画像を取り込む読出画像取込手段を備え、
前記読出画像取込手段を介して取り込まれた所定の読出画像を前記記憶手段に記憶させる記憶ステップを含むことを特徴とする請求項２に記載の遊技用プログラム。
【発明の詳細な説明】
【技術分野】
【０００１】
本発明は、遊技機の遊技に活用される遊技用携帯端末、及び遊技用携帯端末を動作させるための遊技用プログラムに関する。
【背景技術】
【０００２】
遊技機では、大当たりの抽選結果に応じた様々な演出を液晶表示部で表示することが一般的になっている。遊技機は、このような演出を実行することで遊技の興趣が向上しようとしている。近年では、演出動作を変更させるために遊技者が操作可能な演出ボタンを供えた遊技機も提案されている（例えば、特許文献１参照。）。そして、この遊技機のように遊技者側の働きかけに応じて変化が生じるという演出手法が一般に受け入れられている。
【０００３】
しかしながら、遊技者が何度も何度も同様の演出を経験することで目新しさが損なわれてしまうのは致し方なく、遊技者側からは、さらに新たな演出手法による遊技性が求められている。
【先行技術文献】
【特許文献】
【０００４】
【特許文献１】特開２００８−８６７０６号公報
【発明の概要】
【発明が解決しようとする課題】
【０００５】
本発明は、前記従来の問題点に鑑みてなされたものであり、従来にないような演出手法による新たな遊技性により遊技の興趣を高めることが可能な遊技用携帯端末を提供しようとする発明である。
【課題を解決するための手段】
【０００６】
本発明の一態様は、始動口へと入賞した場合に大当たりの抽選処理を行い、当該大当たりの抽選結果を表示する演出動作の動作結果に応じて大当たり状態を発生可能であり、前記演出動作中に始動口へと入賞した場合に対応する演出動作を保留し、その保留した旨を示す表示である保留表示を保留した演出動作分表示する遊技機であって、前記大当たりの抽選結果を示唆する場合に、その示唆の対象となる大当たりの抽選結果に対応した保留表示を通常の保留表示とは異なる保留表示である特定画像にて表示する遊技機により表示される前記特定画像を含む前記演出動作を撮像可能な撮像手段と、
この撮像手段が撮像した演出動作の画像である演出画像を表示する表示手段と、
前記演出画像に含まれる特定画像を認識する特定画像認識手段と、
所定の表示条件及び前記特定画像と対応付けて所定の読出画像を予め記憶する記憶手段と、
前記特定画像認識手段が特定画像を認識したときに、前記所定の表示条件の成立状態を判定する表示条件判定手段と、
前記表示条件判定手段により何れかの表示条件が成立していると判定された場合、前記記憶手段が記憶している読出画像の中から成立していると判定された表示条件及び認識された特定画像に対応する読出画像を読み出して前記表示手段に表示させる情報表示手段と、を備え、
前記表示条件は、時刻、日付、場所、気温、或いは湿度を対象とすることを特徴とする遊技用携帯端末として把握できる。
【０００７】
本発明の一態様は、始動口へと入賞した場合に大当たりの抽選処理を行い、当該大当たりの抽選結果を表示する演出動作の動作結果に応じて大当たり状態を発生可能であり、前記演出動作中に始動口へと入賞した場合に対応する演出動作を保留し、その保留した旨を示す表示である保留表示を保留した演出動作分表示する遊技機であって、前記大当たりの抽選結果を示唆する場合に、その示唆の対象となる大当たりの抽選結果に対応した保留表示を通常の保留表示とは異なる保留表示である特定画像にて表示する遊技機により表示される前記特定画像を含む前記演出動作を撮像可能な撮像手段と、
この撮像手段が撮像した演出動作の画像である演出画像を表示する表示手段と、
所定の表示条件及び前記演出画像に含まれる可能性がある特定画像と対応付けて所定の読出画像を記憶する記憶手段と、を備えた遊技用携帯端末で実行される遊技用プログラムであって、
前記演出画像に含まれる特定画像を認識する特定画像認識ステップと、
前記特定画像認識手段が特定画像を認識したときに、前記所定の表示条件の成立状態を判定する表示条件判定ステップと、
前記表示条件判定ステップにより何れかの表示条件が成立していると判定された場合、前記記憶手段が記憶している読出画像の中から成立していると判定された表示条件及び認識された特定画像に対応する読出画像を読み出して前記表示手段に表示させる情報表示ステップと、を含み、
前記表示条件は、時刻、日付、場所、気温、或いは湿度を対象とすることを特徴とする遊技用プログラムとして把握できる。
【０００８】
本発明に係る遊技用携帯端末は、遊技機が実行する演出動作を撮像した演出画像の中から前記特定画像を認識できたとき、前記所定の表示条件の成立状態を判定する。そして、成立していると判定された表示条件、及び認識された特定画像に対応する読出画像を表示する。
【０００９】
前記遊技用携帯端末を活用した遊技では、前記演出動作を撮像して前記読出画像を表示させるという遊技上の新たな楽しみがある。さらに、この遊技用携帯端末による演出では、認識された前記特定画像が同じであっても、何れの表示条件が成立しているかに応じて表示される前記読出画像が相違する場合があるため、非常に多彩な演出が可能になっている。
【００１０】
以上の通り、本発明に係る遊技用携帯端末を活用して遊技すれば、従来にない演出手法による新たな遊技性が実現され、遊技の興趣が高められる。
【００１１】
本発明に係る遊技用携帯端末を利用する遊技機としては、スロットマシンやパチンコ遊技機等がある。スロットマシンとしては、メダルやコイン等の遊技媒体を遊技価値として使用するスロットマシンでも良いが、遊技媒体を使用しない、いわゆる完全クレジット式のスロットマシンであっても良い。さらに、スロットマシンの場合であれば、パチンコ玉を遊技媒体として使用するパロット（Ｒ）であっても良い。パチンコ遊技機としては、遊技媒体であるパチンコ玉の払出を伴うパチンコ遊技機であっても良いが、パチンコ玉の払い出しを伴わない、いわゆる封入式のパチンコ遊技機であっても良い。
【００１２】
本発明の好適な一態様の遊技用携帯端末は、前記所定の表示条件及び前記特定画像と対応付けられた所定の読出画像を取り込む読出画像取込手段を備え、
前記遊技用プログラムは、前記読出画像取込手段を介して取り込まれた所定の読出画像を前記記憶手段に記憶させる記憶ステップを含むことが好ましい。
この場合には、前記記憶ステップを実行させることにより、前記遊技用携帯端末によって表示される読出画像の変更等が可能になり、一層多彩な演出が可能になる。
【図面の簡単な説明】
【００１３】
【図１】実施例における、遊技用携帯端末を含む遊技システムを示すシステム図。
【図２】実施例における、パチンコ遊技機を示す正面図。
【図３】実施例における、パチンコ遊技機の電気的構成を示すブロック図。
【図４】実施例における、パチンコ遊技機が記憶する演出テーブルを示す説明図。
【図５】実施例における、パチンコ遊技機による演出画面を示す正面図。
【図６】実施例における、遊技用携帯端末を示す正面図。
【図７】実施例における、遊技用携帯端末を示す背面図。
【図８】実施例における、遊技用携帯端末の電気的構成を示すブロック図。
【図９】実施例における、遊技用携帯端末が記憶する読出画像テーブルを示す説明図。
【図１０】実施例における、遊技用携帯端末が実行する表示処理の流れを示すフロー図。
【図１１】実施例における、遊技用携帯端末による演出画面を示す正面図。
【発明を実施するための形態】
【００１４】
本発明の実施の形態につき、以下の実施例を用いて具体的に説明する。
（実施例）
本例は、パチンコ遊技機（遊技機）４を遊技する際に有用となる携帯端末（遊技用携帯端末）１に関する例である。この内容について、図１〜図１１を用いて説明する。
【００１５】
本例の携帯端末１は、図１のごとく、パチンコ遊技機４、及びインターネット回線を介して通信可能に接続されたサーバ装置３との組み合わせにより遊技システム１００を形成している。携帯端末１を用いてパチンコ遊技機４の演出動作を撮像すれば、サーバ装置３からダウンロードした様々な読出画像のうち、撮像された演出動作等に対応する読出画像を携帯端末１に表示させることが可能である。
【００１６】
このように本例の携帯端末１を活用すれば、パチンコ遊技機４の遊技に関連する演出を多彩にでき、その演出効果により遊技者を一層楽しませ興趣を高めることができる。以下の説明では、まず、本例の携帯端末１を利用可能なパチンコ遊技機４について説明し、続いて本例の携帯端末１について説明する。
【００１７】
本例のパチンコ遊技機４は、図２に示すような外観的な構成を備えている。パチンコ遊技機４は、図示しない台枠に取り付けられた開閉扉４３と、開閉扉４３の内側の遊技盤面に形成された略円形状の遊技領域４３０と、遊技領域４３０の下部両側に配置された一対のスピーカ４３１と、遊技領域４３０の下側に設けられた上皿４３５及び下皿４３７と、上皿４３５の右下に配置された操作ハンドル４５と、を備えている。
【００１８】
開閉扉４３は、パチンコ遊技機４に対面して左側のヒンジ４３３を介して回動可能な状態で台枠に固定されている。開閉扉４３には、遊技領域４３０に対応する略円形状の透明窓４３９と、透明窓４３９の上部両側に配置された装飾ランプ類４３６と、が設けられている。
【００１９】
上皿４３５は、入賞に応じて払い出された賞球や、貸玉等を受け入れるための受け皿である。上皿４３５は、遊技者側に向けて張り出すように形成されている。上皿４３５の玉は、図示しない供給通路を経由して発射装置６４１に供給されるようになっている。
下皿４３７は、上皿４３５の玉が一杯になったときに賞球を払い出したり、遊技者の操作に応じて上皿４３５の玉を回収するための受け皿である。
【００２０】
遊技領域４３０は、遊技媒体であるパチンコ玉が流下する領域である。遊技領域４３０には、液晶表示部４９０を含む表示装置４９を中心として、始動口４１、４２、通過ゲート４４１、大入賞装置４６等が配置されている。遊技領域４３０の最下部には、入賞することなく流下した玉を回収するためのアウト孔４３８が開口している。遊技領域４３０の右縁部分には、ＬＥＤよりなる特図表示部４８１が配置され、左縁部分には、ＬＥＤよりなる普図表示部４８２及び普図保留表示部４８４が配置されている。
【００２１】
通過ゲート４４１は、通過玉を検知するゲートである。玉を通過させるのみの通過ゲート４４１には、賞球の払い出しが設定されていない。通過ゲート４４１が通過玉を検知すると、普通図柄の当否判定（以下、普図判定という。）用の抽選用乱数が抽出され、普図判定が実行される。
【００２２】
始動口４１、４２は、大当たりの当否判定（特別図柄の当否判定。以下、大当たり判定という。）の契機となる入賞口である。始動口４１、４２に玉が入賞すると、大当たり判定用の抽選用乱数が抽出される。始動口４１が固定の入賞ポケットである一方、始動口４２は、一対の可動羽根４２１を開口部４２０に設けた電チュー（電動チューリップ）となっている。
【００２３】
通常時の一対の可動羽根４２１は、隙間を空けて相互に対面するように起立する状態（図２中、実線で示す状態。）にある。この状態では、上方に向けて開口する玉１個分の隙間が始動口４１により閉塞されるため、玉が入賞不可能である。一方、相互に離隔するように回動した一対の可動羽根４２１（図２中、点線で示す状態。）は、開口部４２０への玉の流入をガイドする受け皿のように作用する。この状態では、始動口４２への入賞が容易に発生する。
【００２４】
特図表示部４８１は、大当たり判定の当否を表示する手段である。特図表示部４８１は、いわゆる７セグメントと呼ばれる数字の表示器を含み、この表示器に表示された内部制御コードによって大当たり判定の当否を表示する。特図表示部４８１に表示される内部制御コードは、後述する表示装置４９による演出表示とは異なり、一般の遊技者にとっては理解が難しいデータとなっている。
普図表示部４８２は、普図判定の当否の表示部である。普図表示部４８２は、ＬＥＤを点灯させることにより当選を表示し、消灯に応じてハズレを表示する。
【００２５】
大入賞装置４６は、大入賞口４６０を開口する、いわゆるアタッカーと呼ばれる可変入賞装置である。この大入賞装置４６は、始動口４２の下側に配置されている。大入賞装置４６は、横長略矩形状を呈する大入賞口４６０と、該大入賞口４６０の下辺を中心として手前に回動する蓋部材４６１と、を有している。大入賞装置４６では、遊技領域４３０をなす盤面と略面一をなすように蓋部材４６１が位置したときに大入賞口４６０が閉鎖状態となる。一方、蓋部材４６１が手前に回動したときに大入賞口４６０が開放状態となる。
【００２６】
表示装置４９は、図２に示すごとく、略中央に液晶表示部４９０が配置された表示装置である。この液晶表示部４９０は、大当たり判定の当否を遊技者に分かり易く演出を加えて報知する演出手段としての機能を備えている。液晶表示部４９０は、横方向に延設された変動領域４９３において３つの数字を変動表示させる演出動作を実行した後、３桁のアラビア数字を確定的に表示することで大当たり判定の当否を報知する。
【００２７】
液晶表示部４９０の表示画面４９１の下段には、図２のごとく、特図保留表示部４９５が配置されている。特図保留表示部４９５は、略等間隔で水平方向に配置された４箇所の表示エリア４９５Ｓにより構成されている。特図保留表示部４９５では、大当たり判定用の抽選用乱数の保留数（上限保留数４個）に当たる数の表示エリア４９５Ｓに○印が表示される。図２は、保留数が４個のときの特図保留表示部４９５を例示している。
【００２８】
次に、パチンコ遊技機４の電気的な構成について、図３を用いて説明する。パチンコ遊技機４は、主回路５０を中心として構成されている。主回路５０に対しては、玉の払出を制御する払出制御回路６３、玉の打込を制御する発射制御回路６４、遊技演出を制御する副制御回路６５、液晶表示部４９０を制御する表示制御回路６６、入賞玉あるいは通過玉の検出器６１２〜６１４、始動口（電チュー）４２を開放する電チューソレノイド６２２、大入賞装置４６を開放させる大入賞ソレノイド６２４、特図表示部４８１や普図表示部４８２等を構成する各種のＬＥＤ６２６、及び電力供給のための電源回路６２８等が電気的に接続されている。また、副制御回路６５には、駆動アンプを含むスピーカ装置４３１、装飾ランプなどの装飾ランプ類４３６、及び液晶表示部４９０の表示等を制御する表示制御回路６６が電気的に接続されている。
【００２９】
入賞玉あるいは通過玉の検出器としては、図２及び図３に示すごとく、通過ゲート４４１の通過玉を検出するゲート通過検出器６１２、始動口４１、４２への入賞玉を検出する始動入賞検出器６１３、及び大入賞装置４６への入賞玉を検出する大入賞検出器６１４がある。
【００３０】
払出制御回路６３は、主回路５０からの指示を受けて払出装置６３１を制御し、所定数の玉の払出を実行させる。
発射制御回路６４は、操作ハンドル４５の操作量に応じて発射装置６４１を制御することで、玉の打ち出し強さをコントロールする。
【００３１】
主回路５０は、図３に示すごとく、ＣＰＵ（Central Processing Unit）５１、記憶素子であるＲＯＭ（Read Only Memory）５２・ＲＡＭ（Random Access Memory）５４、所定範囲の乱数を発生する乱数発生部５７、抽選用乱数を抽出する乱数抽出部５６、及び入出力インタフェースをなすＩ／Ｏ（Input/Output）部５５等を備えている。
【００３２】
ＲＯＭ５２は、ＣＰＵ５１に実行させる各種の処理プログラムを記憶しているほか、図示しない大当たり判定用の抽選テーブル及び普図判定用の抽選テーブル、演出動作を決定するための演出テーブル（図４）を記憶している。
【００３３】
大当たり判定用の抽選テーブルでは、通常状態における大当たりの当選乱数（当選確率１／４００）、及び確変状態における大当たりの当選乱数（当選確率１／５０）が規定されている。本例では、大当たりの当選乱数のうちの約２／５が確変大当たりに対応する確変当選乱数となっており、大当たりのうちの確変大当たりの割合が約４０％となっている。
一方、普図判定用の抽選テーブルについては、通常状態用と、確変状態用と、の２種類が用意されている。通常状態用の抽選テーブルでは１／１００の当選乱数が設定され、確変状態用の抽選テーブルでは、９９／１００の当選乱数が設定されている。
【００３４】
演出テーブルは、図４のごとく、実行する演出動作の種類を決定するためのテーブルである。同図（ａ）は、大当たりに当選したときに参照されるテーブルであり、同図（ｂ）は、大当たり判定がハズレのときに参照されるテーブルである。これらの演出テーブルでは、当たり演出Ａ・Ｂ・・・、あるいはハズレ演出Ａ・Ｂ・・・等の演出に対して、それぞれ、乱数値が規定されている。０〜６５５３５の乱数範囲の中から取得される乱数値を利用して演出テーブルを参照することで、実行する演出動作の種類を決定できるようになっている。なお、演出テーブルを利用して決定され得る演出のうち、当選のときの当たり演出Ａ・Ｂ、及びハズレのときのハズレ演出Ａ・Ｂ等については、その実行中にＡＲマーカ４９７（特定画像。図５参照。）が表示される演出となっている。例えば、当たり演出Ａには、ＡＲマーカ１の表示が含まれている。
【００３５】
ＲＡＭ５４は、図３のごとく、ＣＰＵ５１のワークエリアや一時書き込みに利用される読み書き可能な記憶素子である。ＲＡＭ５４の記憶エリアには、各４データ分の特図保留エリア５４１・普図保留エリア５４２、及び各１データ分の特図読出エリア５４５・普図読出エリア５４６が割り当てられている。
【００３６】
特図保留エリア５４１は、大当たり判定の当否を表す保留乱数の記憶領域である。普図保留エリア５４２は、普図判定の保留乱数の記憶領域である。特図読出エリア５４５は、特図保留エリア５４１から読み出された保留乱数の格納領域である。普図読出エリア５４６は、普図保留エリア５４２から読み出された保留乱数の格納領域である。
【００３７】
本例の主回路５０は、ＲＯＭ５２から読み出したプログラムをＣＰＵ５１に実行させることにより、乱数抽出部５６が抽出する抽選用乱数を取得することで抽選を実行する抽選手段５１１、大当たり判定用及び普図判定用の抽選用乱数を保留する保留手段５１２、大当たり判定用の抽選用乱数を読み出す読出手段５１３、実行する演出を決定する演出決定手段５１４、特別状態を発生させる特別状態発生手段５１５、確変大当たりの当選に応じて確変状態を発生させる確変状態発生手段５１６としての各機能を実現する。
【００３８】
以上のように構成された本例のパチンコ遊技機４は、操作ハンドル４５が右回転方向に操作されたとき、その操作量に応じた強度で玉を発射する。発射された玉は、通過ゲート４４１などが配置された遊技領域４３０を流下する。入賞しなかった玉は、遊技領域４３０の最下部に設けられたアウト孔４３８から回収される。
【００３９】
玉が流下する間に通過ゲート４４１を通過した場合には、乱数発生部５７が発生する乱数の中から普図判定用の抽選用乱数を抽出する抽選が実行される。抽選用乱数は、普図判定用の抽選テーブルと照合され、普図判定の当否が決定される。普図判定に当選した場合には、普図表示部４８２を構成するＬＥＤが点滅する期間の後、点灯状態になる。ハズレの場合には、同様の期間の後、消灯状態になる。普図判定に当選した場合には、電チューである始動口４２の可動羽根４２１が開放される。
【００４０】
なお、普図の変動時間は、通常状態で３０秒、確変状態及び時短状態において１秒となっている。また、普図判定の当選に応じた可動羽根４２１の開放時間は、通常状態において０．２秒、確変状態及び時短状態では１．５秒×３回となっている。
【００４１】
始動口４２への入賞が発生した場合には、大当たり判定（特図判定）用の抽選用乱数を抽出することで大当たり抽選が実行される。この大当たり判定用の抽選乱数は、特図保留エリア５４１に随時、格納（保留）される。ただし、特図保留エリア５４１の保留数が４個である場合には、特図保留エリア５４１に格納されることなく消去される。特図保留エリア５４１の保留乱数（特図保留）は、図柄変動が停止中であって、かつ、大当たり状態の発生中ではないとき、記憶されたタイミングが古いものから順番に１つずつ読み出され、特図読出エリア５４５に格納される。読み出された大当たり判定用の抽選用乱数については、大当たり判定用の抽選テーブルとの照合により大当たり判定の当否を判定可能である。
【００４２】
大当たり判定の当否は、特図表示部４８１に表示されるほか、表示装置４９に停止表示された図柄の組合せに応じて報知される。表示装置４９は、図５に示すごとく、表示画面４９１上の変動領域４９３内で、演出用図柄である３桁のアラビア数字を変動表示させる演出動作を実行し、各数字を停止させて確定表示することで大当たり判定の当否を遊技者に判り易く報知する。
【００４３】
大当たりの場合には、ゾロ目の３桁のアラビア数字が表示画面４９１に表示される。大当たりとしては、確変状態が後続する確変大当たり状態の契機となる確変大当たりと、終了に応じて直ちに通常状態に復帰する通常大当たり状態の契機となる通常大当たりと、がある。通常大当たりに当選したときには表示装置４９に偶数のゾロ目が表示され、確変状態を伴う確変大当たりに当選したときには奇数のゾロ目が停止表示される。
【００４４】
確変大当たりが当選した場合には、大当たりの当選確率が高く遊技者側に有利な状態である確変状態が大当たり状態の終了に応じて発生する。この確変状態は、特図表示部４８１及び普図表示部４８２による図柄変動時間が短縮されると共に始動口４２の入賞率が高まる時短状態を伴って発生する。確変状態は、大当たり状態終了後の演出動作（図柄変動）の実行回数が１００回に達するか、あるいは通常大当たりの当選に応じて終了する。
【００４５】
本例のパチンコ遊技機では、上記のような演出動作を開始するに当たって、実行する演出を決定するための抽選が実行される。この抽選では、０〜６５５３５の範囲の乱数が抽出され、この乱数に基づいて図４の演出テーブルが参照されて上記の演出動作で実行される演出が決定される。例えば、大当たり抽選に当選しているときに乱数「１２３」が抽出された場合では、図４（ａ）の当選時の演出テーブルが参照されて、ＡＲマーカ１を含む当たり演出Ａが決定される。
【００４６】
このように当たり演出Ａが決定された場合には、３桁のアラビア数字を変動表示させる演出動作の実行中において、特図保留表示部４９５の表示エリア４９５Ｓのうち大当たりの保留乱数に対応する表示エリア４９５Ｓに、○印に代えてＡＲマーカ４９７（同図は、ＡＲマーカ１の表示例。）が表示される（図５参照。）。このＡＲマーカ４９７は、目視では意味内容を判読不可能である一方、次に説明する携帯端末１を利用すればその意味内容を判読可能である。
【００４７】
携帯端末１は、図６及び図７のごとく、厚さ１ｃｍ程度の平板状の端末である。その正面（図６参照。）側には、液晶表示部１５１の表示画面１５０が配置され、その左右両側には、ボタン群１２が配置された操作面１２０とスピーカ１３１とが配置されている。携帯端末１の背面（図７参照。）側には、撮像手段を構成するカメラ基板１１（図８参照。）に固定されたレンズの開口部１１１が設けられている。
【００４８】
液晶表示部１５１は、パチンコ遊技機４の演出動作を撮像した演出画像等を表示する表示手段としての機能を備えている。また、この液晶表示部１５１の表示画面１５０には、シート状のタッチパネル１５３（図８参照。）が積層されている。
操作面１２０には、電源ボタン１２１、カメラのズームボタン１２３・１２４、撮像を開始する撮像開始ボタン１２５等のボタン群１２が配置されている。
【００４９】
携帯端末１の内部には、図８のごとく、制御部２０をなす電気回路が形成された制御基板が収容されている。この制御基板に対しては、ＣＣＤ素子やレンズ等が実装されたカメラ基板１１、オーディオ用ＩＣが実装されたアンプ基板１３３のほか、操作面１２０に配置されたボタン群１２、タッチパネル１５３、液晶表示部１５１等が電気的に接続されている。
【００５０】
制御部２０は、ＣＰＵ（Central Processing Unit）２１、記憶素子であるＲＯＭ（Read Only Memory）２２・ＲＡＭ（Random Access Memory）２３、及び入出力インタフェースをなすＩ／Ｏ（Input/Output）部２４等を備えている。Ｉ／Ｏ部２４は、無線ＬＡＮ機能を備えている。
【００５１】
ＲＯＭ２２は、ＣＰＵ２１に実行させる各種の処理プログラム（遊技用プログラム）を記憶している。
ＲＡＭ２３は、ＣＰＵ２１のワークエリアや一時書き込みにも利用される読み書き可能な記憶素子である。本例のＲＡＭ２３は、パチンコ遊技機４で表示される可能性がある複数種類のＡＲマーカについて、それぞれ、３種類の表示条件（本例では、時刻に関する表示条件が設定されている。）に対応する読出画像が規定された図９の読出画像テーブルを記憶する記憶手段２３１としての機能を備えている。
【００５２】
図９（ａ）〜（ｄ）は、それぞれ、ＡＲマーカ１〜４に対応している。例えば、ＡＲマーカ１に対しては、時刻１２：００〜１７：５９という表示条件に対して、読出画像Ｂが対応付けされている。ＡＲマーカの種類及び時刻に基づいて記憶手段２３１が記憶する読出画像テーブル（図９）を参照すれば、携帯端末１に表示させる読出画像を決定可能である。なお、本例では、特定のＡＲマーカに対応する３種類の読出画像としては、その表示態様が異なるものの意味内容が同じ読出画像が設定されている。例えば、ＡＲマーカ１に対しては、いずれも大当たりの「当確」を表す３種類の読出画像が対応付けされている。
【００５３】
制御部２０は、ＲＯＭ２２から読み出したプログラムをＣＰＵ２１に実行させることにより、液晶表示部１５１の表示を制御する表示制御手段２１１、演出画像中のＡＲマーカ４９７（図５参照。）を認識する特定画像認識手段２１３、サーバ装置３から読出画像をダウンロードして記憶手段２３１に記憶させる読出画像取込手段２１５、成立中の表示条件を判定する表示条件判定手段２１６、認識されたＡＲマーカ４９７の種類に対応する読出画像を読み出す読出画像参照手段２１７、読出画像を表示させる情報表示手段２１８としての機能を実現する。
【００５４】
以上の通り構成された本例の携帯端末１は、図１０に示す表示処理の実行によりＡＲマーカ４９７に対応する読出画像の表示を実現している。この表示処理ステップの実行には、まず、図９の読出画像テーブルをサーバ装置３からダウンロードして記憶する記憶ステップＳ１０１が実行される。
【００５５】
パチンコ遊技機４による演出動作の実行中に、図５に例示されるようなＡＲマーカ４９７が表示された場合には、パチンコ遊技機４の正面側で携帯端末１を構えて撮像開始ボタン１２５を操作し、表示画面４９１に表示された演出動作を撮像する。このとき、液晶表示部４９０の表示画面４９１の全体が含まれるように、パチンコ遊技機４と携帯端末１との距離を調整するか、あるいはズームボタン１２３・１２４を適宜調整する。
【００５６】
演出動作を撮像して取得された演出画像は、携帯端末１の表示画面１５０に表示される。そうすると、携帯端末１の内部処理により特定画像認識ステップＳ１０２が実行され、取得された演出画像について画像認識処理が施される。この特定画像認識ステップＳ１０２では、まず、演出画像に映り込んだ表示画面４９１の大きさに基づいて演出画像のサイズが正規化されると共に、撮像時の傾きがソフト的に修正される。これにより、ＡＲマーカ４９７が表示される可能性がある４箇所の表示エリア４９５Ｓが特定され、表示エリア４９５Ｓに表示されたＡＲマーカ４９７が認識される。
【００５７】
ＡＲマーカ４９７が認識されてその種類が特定されると、図９の読出画像テーブルのごとく記憶手段２３１がそのＡＲマーカに対応して記憶する読出画像のうち、現在時刻（ＡＲマーカ４９７の認識時刻）が属する時間帯に対応する読出画像を選択するための表示条件判定ステップＳ１０３が実行される。続いて、情報表示ステップＳ１０４が実行され、上記のように表示条件判定ステップＳ１０３で選択された読出画像が、図１１のごとく演出画像中のＡＲマーカ４９７に対応する表示エリア４９５Ｓに上書きされる。
【００５８】
図１１は、１５時１０分にＡＲマーカ１（図５参照。）が認識されたときに表示される画面の例である。この場合については、図９（ａ）のＡＲマーカ１に対応する読出画像テーブルが参照され、時刻が１５時１０分であることからその中段の表示条件が成立して読出画像Ｂが読み出される。図１１の演出画面では、元の演出画像中のＡＲマーカ４９７に対して、大当たりの当確を表す読出画像Ｂ（図１１中の符合１９７）が上書き表示される。
【００５９】
このように、本例の携帯端末１を活用すれば、パチンコ遊技機４の演出動作を拡張でき、その演出の意味内容を携帯端末１の表示画面１５０に表示させることができる。携帯端末１を活用すれば、新たな演出手法により遊技を楽しむことができ、遊技の興趣が向上する。
【００６０】
本例では、特定画像としてＡＲマーカ４９７を採用しているが、特定画像は、携帯端末１側で区別できる画像であれば良く、どのような画像パターンを採用しても良い。
【００６１】
本例では、読出画像の表示条件として時刻を設定している。これに代えて、例えば、日付、場所、気温、湿度などを表示条件として設定することも良い。この場合、携帯端末１にＧＰＳや温度計や湿度計を設けておく必要がある。さらに、遊技者が表示条件を設定するための設定操作手段を設けることにより、遊技者の操作に応じて表示条件を設定可能にしても良い。
なお、携帯端末としては、本例において説明したような機能を実現した専用機であっても良いが、ゲーム機やスマートフォン等、所定のソフトウェアをインストールすることで上記の機能を実現できる汎用機であっても良い。
【００６２】
以上、実施例のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形あるいは変更した技術を包含している。
【符号の説明】
【００６３】
１…遊技用携帯端末（携帯端末）、１００…遊技システム、１１…カメラ基板（撮像手段）、１５０…表示画面、１５１…液晶表示部（表示手段）、２０…制御部、２１…ＣＰＵ、２１１…表示制御手段、２１３…特定画像認識手段、２１５…読出画像取込手段、２１６…表示条件判定手段、２１７…読出画像参照手段、２１８…情報表示手段、２２…ＲＯＭ、２３…ＲＡＭ、２３１…記憶手段、２４…Ｉ／Ｏ部、３…サーバ装置、４…パチンコ遊技機、４１、４２…始動口、４３０…遊技領域、４５…操作ハンドル、４６…大入賞装置、４８１…特図表示部、４９…表示装置（演出手段）、４９０…液晶表示部、４９１…表示画面、４９３…変動領域、４９５…特図保留表示部、４９５Ｓ…表示エリア、４９７…ＡＲマーカ（特定画像）、５０…主回路、５１…ＣＰＵ、５１１…抽選手段、５１５…特別状態発生手段、５１６…確変状態発生手段、６１３…始動入賞検出器、６３…払出制御回路、６４１…発射装置
【図１】
0005816033.tif 000002
【図２】
0005816033.tif 000003
【図３】
0005816033.tif 000004
【図４】
0005816033.tif 000005
【図５】
0005816033.tif 000006
【図６】
0005816033.tif 000007
【図７】
0005816033.tif 000008
【図８】
0005816033.tif 000009
【図９】
0005816033.tif 000010
【図１０】
0005816033.tif 000011
【図１１】
0005816033.tif 000012